(57)【要約】【課題】本発明は、内部に明かりが入れられる行燈，電気の傘，看板等に用いるレザー張りの装飾用のプレートであり、レザーの立体模様が簡単に形成でき、多種少量生産が可能となると共に表面上の立体模様が昼と夜（明かりを灯した状態）で変化するレザーの立体模様が透視可能なプレートを提供することを目的とする。【解決手段】透光性のプレート本体１の表面に、立体的に形成した発泡スチロール製の凸材２を配置し、そのプレート本体１の表面全体に塩化ビニールレザーである合皮レザー３を貼着し、且つ、プレート本体１の裏面に、図形４を少なくとも描示した構造とする。またプレート本体１として合成樹脂板を用い、そのプレート本体１の一面をエンボス面に仕上げ、またプレート本体１の裏面に、シール５を貼着させるものとしても良い。【選択図】図１
2020071282.tif 000002
【特許請求の範囲】
【請求項１】
透光性のプレート本体（１）の表面に、立体的に形成した樹脂製の凸材（２）を配置し、そのプレート本体（１）の表面全体に合皮レザー（３）を貼着し、且つ、前記プレート本体（１）の裏面に、図形（４）を少なくとも描示したことを特徴とするレザーの立体模様が透視可能なプレート。
【請求項２】
前記プレート本体（１）が合成樹脂板であり、少なくとも一面がエンボス面である請求項1記載のレザーの立体模様が透視可能なプレート。
【請求項３】
前記プレート本体（１）の裏面に、シール（５）が貼着された請求項１又は２記載のレザーの立体模様が透視可能なプレート。
【請求項４】
前記凸材（２）の材料が発泡スチロールであり、前記合皮レザー（３）の材料が塩化ビニールレザーである請求項１記載のレザーの立体模様が透視可能なプレート。
【発明の詳細な説明】
【技術分野】
【０００１】
本発明は、内部に明かりが入れられる行燈，電気の傘，看板等に用いるレザー張りの装飾用のプレートであり、特にはレザーの立体模様が透視可能なプレートに関する。
【背景技術】
【０００２】
従来、レザー張りで立体模様を形成したものとしては、特に自動車用内装の装飾品がある。例えば、特開平８−１９２６３０号，特開昭６０−２３９２２９号，実開昭５１−１５６１１０号などがある。これらは立体模様が幾何学模様や単純な凹凸模様であり、文字や細かな図形等は形成できなかった。しかも、金型を加熱して熱圧着して前記模様を形成するため、金型製作費が多く掛る上、加熱装置が必要であり、大量生産向きのものであった。
【０００３】
またレザー張りで立体模様を形成した装飾パネルとして、特開平７−１５６５９８号の一部に記載されている。これは、樹脂板の上にレーザークラフトを載せ、凹凸模様を施した金型を加熱押圧して、立体模様を施すものである。従って、金型製作費が多く掛る上、加熱装置が必要であり、多種少量生産には不向きであった。
【０００４】
このため、レザー張りで立体模様が文字や細かな図形等でも形成できる方法を、本発明者が特許第６２３１９６８号で提案した。しかし、これは外観を主としたものであり、内部に明かりを入れると、表面上の立体模様を変化させるという発想はなかった。
【先行技術文献】
【特許文献】
【０００５】
【特許文献１】特開平８−１９２６３０号公報
【特許文献２】特開昭６０−２３９２２９号公報
【特許文献３】実開昭５１−１５６１１０号公報
【特許文献４】特開平７−１５６５９８号公報
【特許文献５】特許第６２３１９６８号公報
【発明の概要】
【発明が解決しようとする課題】
【０００６】
本発明は、内部に明かりが入れられる行燈，電気の傘，看板等に用いるレザー張りの装飾用のプレートであり、レザーの立体模様が簡単に形成でき、多種少量生産が可能となると共に表面上の立体模様が昼と夜（明かりを灯した状態）で変化するレザーの立体模様が透視可能なプレートを提供することを目的とする。
【課題を解決するための手段】
【０００７】
本発明は上記現状に鑑みて成されたものであり、つまり、透光性のプレート本体の表面に、立体的に形成した樹脂製の凸材を配置し、そのプレート本体の表面全体に合皮レザーを貼着し、且つ、プレート本体の裏面に、図形を少なくとも描示した構造とする。またプレート本体として合成樹脂板を用い、そのプレート本体の少なくとも一面とエンボス面に仕上げ、またプレート本体の裏面に、シールを貼着させても良い。また凸材の材料として、発泡スチロールを用い、合皮レザーの材料として、塩化ビニールレザーを用いるのが好ましい。
尚、本発明で言う「合皮レザー」とは、合成樹脂製の表皮材のことを指すものとする。
【発明の効果】
【０００８】
請求項１のように透光性のプレート本体（１）の表面に、立体的に形成した樹脂製の凸材（２）を配置し、そのプレート本体（１）の表面全体に合皮レザー（３）を貼着することにより、文字や細かな図形の立体模様を有したレザー張りの装飾用プレートが簡単に得られると共に立体模様が透視可能であるので、豪華な雰囲気が醸し出される。
特に、プレート本体（１）の裏面に、図形（４）を少なくとも描示することにより、内部に明かりが灯された際に、表面の立体模様が変化する。つまり、明かりによって、プレート本体（１）の裏面に描示した図形（４）が浮き出て、表面の立体模様が図形（４）に重なった新たな立体模様となるのである。従って、本発明品を行燈，電気の傘，看板等の装飾用プレートとして取付けると、昼間の立体模様と、夜の立体模様とが、変化するため、意外性や遊び心が発揮できるものとなる。
【０００９】
請求項２のようにプレート本体（１）に合成樹脂板を用い、その一面が少なくともエンボス面とすることにより、凸材（２）や合皮レザー（３）をプレート本体（１）に接着され易くなり、剥がれにくいレザー張りの装飾用プレートを得ることができる。また図形（４）を筆ペンなどで描示することが可能となる。
【００１０】
請求項３に示すようにプレート本体（１）の裏面に、シール（５）を貼着させることにより、昼間の立体模様に多種類の工夫が容易に施され、夜には変化した立体模様に仕上げることが可能である。
【００１１】
請求項４に示すように凸材（２）の材料として発泡スチロールを用い、また合皮レザー（３）の材料として塩化ビニールレザーを用いることにより、凸材（２）の縁に密着されて皺が生じることなくきれいに合皮レザー（３）が密着されるものとなる。また前記凸材（２）はニクロム熱線が使用できるので、短時間で且つ簡単に作製できるので、立体模様の形成が極めて効率的である。又、凸材（２）の材料に軟質な発泡樹脂を用いると、図柄や文字の変更が極めて容易に対応でき、多種少量生産に適すると共に意匠性に優れた装飾用プレートを得ることができる。しかも、本発明品は、物がぶつかっても、クッション性を有した凸材（２）で衝撃力がやわらぐため、合皮レザー（３）の表面が損傷されにくくなる。
【図面の簡単な説明】
【００１２】
【図１】本発明の基本構造を示す説明図である。
【図２】本実施形態の表面の立体模様を示す説明図である。
【図３】図２の立体模様に対して、裏面に描示した図形と貼着したシールを示す説明図である。
【図４】本実施形態の他の立体模様を示す説明図である。
【図５】本発明の使用状態を示す説明図である。
【発明を実施するための形態】
【００１３】
図１は本発明の基本構造を示す図であり、この図に基づいて説明する。（１）は透光性を有した台形状のプレートであり、該プレート本体（１）に合成樹脂板を用い、少なくともプレート本体（１）の一面をエンボス面とすると良い。又、前記プレート本体（１）の材料としては、例えば、株式会社ワーロンの商品名「（登録商標名）ワーロンプレート」を用いるのが好ましいが、これに限定されるものではない。またプレート本体（１）の形状は、行燈，電気の傘，看板等の使用箇所に合せた形状とする。
【００１４】
（２）はプレート本体（１）の表面に配置すると共に、立体的に形成した軟質で半透明或いは不透明な樹脂製の凸材であり、該凸材（２）は１つだけで図柄や文字或いは数字を形成したものとしても良いが、複数の凸材（２）が組合わされて図柄や文章を成すものとしても良い。また凸材（２）の材料としては、発泡スチロールボードや発泡スチレンボードなどを用いるのが好ましいが、他の発泡樹脂としては、例えば指で押して潰れない程度の強度を有すると共に加工し易いものであれば良い。又、前記凸材（２）の材料として、硬質の樹脂のアクリル樹脂板などを用いて、超音波カッター等で加工しても良い。更に前記凸材（２）の一部の縁或いは周縁全体に面取りを行うと良い。
【００１５】
（３）はプレート本体（１）の表面全体に貼着する透光性の合皮レザーであり、該合皮レザー（３）の材質としては塩化ビニールレザーを用い、それにきれいな色が着色されたものを用いるのが好ましい。また合皮レザー（３）の大きさとしては、プレート本体（１）と略同じ大きさとするのが好ましいが、大きめのものを用いても良い。尚、合皮レザー（３）の材質は塩化ビニールレザーに限定されるものではない。又、プレート本体（１）の表面全体及び合皮レザー（３）の裏面全体に接着剤が塗布されて、合皮レザー（３）と凸材（２）をプレート本体（１）に接着させる。
【００１６】
（４）はプレート本体（１）の裏面に描示した図形であり、該図形（４）としては、図柄や文字或いは線などを描く。
【００１７】
（５）はプレート本体（１）の裏面に貼着するシールであり、該シール（５）としては、半透明或いは不透明な材料を用い、形状としては、星，月，太陽，動物，草木，乗物，丸，三角，四角，多角形等である。
【００１８】
次に本発明のレザーの立体模様が透視可能なプレートを製造する方法について説明する。本発明品を行燈に用いる場合は、予め行燈の側面に嵌める大きさにプレート本体（１）を切断して仕上げておく。先ず始めに立体模様に基づいて凸材（２）を作製する。この凸材（２）を作製する場合は、予め決めた図柄や文字或いは数字等をパーソナルコンピューターなどで作成したものをプリントアウトする。それを軟質な発泡樹脂板（例えば５ｍｍのスチレンボードやスチロールボード）の表面に図柄や文字等を、カーボン紙などで写し、或いはフリーハンドにて書き写す。その後、スチレンボードなどの専用カッター（ニクロム線使用）で、写した線に沿って、ニクロム熱線を移動させてスチレンボード又はスチロールボードをカットしていく。この時の凸材（２）の作製は、素早く且つ容易に行える。カット後、棒ヤスリやサンドペーパー等で面取り加工を行い、図柄や文字等の周縁全体を面取る。尚、前記凸材（２）の材料として、硬質のアクリル樹脂板などを用いる場合は、超音波カッター等で加工する。
【００１９】
その後、プレート本体（１）の表面に各形状の凸材（２）を並べて配置が確認できたら、プレート本体（１）の表面に各凸材（２）の周囲をマジックやボールペン等の筆記具でマーキングする。そして、プレート本体（１）の表面と、合皮レザー（３）の裏面に接着剤を塗布し、５〜１０分間放置しておく。すると、接着剤の表面には薄膜が形成されて、半乾き状態となり、手で表面を軽く触っても接着剤が手に付着しない状態になる。尚、合皮レザー（３）の伸び方向が縦横によって異なる特性を有しているため、図柄や文字等の向きは、伸縮方向を見極めて、その向きを予め決定しておくと良い。
【００２０】
次にプレート本体（１）の表面に各形状の凸材（２）を所定の位置に配置して上から軽く押して位置がずれないようにしておく。その後、プレート本体（１）の表面に、合皮レザー（３）の裏面を下にして被せる。そして、各形状の凸材（２）の上面及び周縁を順にローラーやヘラ等を用いて押圧し、合皮レザー（３）が凸材（２）に密着されながら貼着するのである。
【００２１】
尚、立体模様を形成する際、凸材（２）の周縁に合皮レザー（３）が密着しにくい場合や合皮レザー（３）に皺が出来易くなった場合には、合皮レザー（３）の上からドライヤー等の熱風を当てて加熱することにより、接着剤が硬化し始めたものが柔らかくなると共に合皮レザー（３）も柔らかくなって作業がし易くなるため、凸材（２）の周縁に合皮レザー（３）が密着し易くなると共に合皮レザー（３）も伸び易くなってきれいな仕上がりとなる。また立体模様に合皮レザー（３）が貼着されると、貼着した箇所は後日になっても皺や剥離等が殆んど生じないものとなる。
【００２２】
このようにしてプレート本体（１）の表面に、合皮レザー（３）の立体模様が完成されるのである。
次に、プレート本体（１）の裏面に、図形（４）を描示、或いはシール（５）を貼着する。例えば、図２に示すクモと三日月の表面模様に対して、図３に示すように、クモの巣を筆ペン等の筆記具で描示し、三日月が満月になるように円形を塗りつぶすと、クモの巣と満月の図形（４）が完成する。次に、星形のシール（５）を満月の横に貼ることにより、夜空のイメージが膨らむ。
又、図４に示す日本髪の女性と紅葉の表面模様に対して、紅葉に葉脈を描示し、女性の顔に目，鼻，口，耳などを描示させておき、昼間に見ると、図５の右側面のように立体模様が現われ、行燈に明かりが灯されると、図５の左側面のように立体模様が変化して現われる。
【００２３】
次に本発明の作用を行燈に用いる場合について説明する。行燈の側面に、予め本発明のレザーの立体模様が透視可能なプレートを嵌め込んでおく。この時、図２，図３に示すレザーの立体模様が透視可能なプレートを側面として用いると、先ず始めに行燈の側面の模様を昼間に見ると、その表面には、クモと三日月の立体模様が現われており、平面の模様と異なり、本発明品はレザーの立体模様であるので、高級感が醸し出される。
一方、夜になって行燈に明かりが灯されると、行燈の側面は透光されて裏側の図形（４）と星形のシール（５）の影が、表面の立体模様に重なり、クモが巣の中心に現れ、満月と星が浮かび上がり、夜空のイメージを膨らませるものとなる。従って、昼と夜で立体模様が変化するので、意外性や遊び心が発揮できるものとなる。特に人目に付く看板等に使用すると、宣伝効果がより一層向上できるものとなる。
【産業上の利用可能性】
【００２４】
１  プレート本体
２  凸材
３  合皮レザー
４  図形
５  シール
【図１】
2020071282.tif 000003
【図２】
2020071282.tif 000004
【図３】
2020071282.tif 000005
【図４】
2020071282.tif 000006
【図５】
2020071282.tif 000007